(57)【要約】【課題】シャットオフトリガ機構の外部空間域に露出しないようにカバーされている内容物放出口の不用意な露出状態移行の防止化を図る。【解決手段】図示ロックモード（内容物放出操作阻止）のとき、ストッパー８が、ステム４に固定されたステムジョイント５およびこれを駆動するためのトリガレバー７をロックしている。ストッパー８を回動すると、ロックモードの長方形凸状部５ｇと凸状段部８ｂとの当接状態および被ロック作用部７ｅとロック係止用上端面８ｈとの当接状態が解除される。ここでトリガレバー７を下方に回動して内容物放出操作を行うと、先ず放出口５ｅが露出し、その後トリガレバー７のＣ字状曲面部７ｇがステムジョイント５の低円柱状部５ｆに当接してステム４を下方に駆動することにより、内容物が放出口５ｅから放出される。ストッパー８に代えてステムジョイントの天板相当部分にロックモード設定，解除用のスライダを設ける例も開示する。【選択図】図１
2014121668.tif 000002
【特許請求の範囲】
【請求項１】
利用者の内容物放出操作に基づいて露出状態に移行する放出口から容器本体の内容物を外部空間域に放出するシャットオフトリガ機構において、
前記内容物放出操作に用いられて、かつ、当該内容物放出操作がおこなわれていないときは前記放出口がカバーされて前記外部空間域の方に露出しない形のシャットオフ状態を設定するトリガレバーと、
前記内容物放出操作がおこなわれていないときの前記トリガレバーとともに前記放出口をカバーする天板作用部と、
前記トリガレバーの回動基部を有して容器本体に一体化されるカラー部材と、
前記内容物放出操作に応じた弁作用を呈するステムに取り付けられて、当該内容物放出操作の開始から遅延して駆動されるステムジョイントと、
前記トリガレバーを前記シャットオフ状態の位置に付勢する弾性部材と、
前記トリガレバーを前記シャットオフ状態の位置に保持して前記内容物放出操作が阻止されるロックモード、およびこのロックモードの解除により当該内容物放出操作が可能となるアンロックモードを、選択的に設定するためのロック作用部材と、を備え、
前記トリガレバーおよび前記ステムジョイントは、
前記ロック作用部材により設定された前記アンロックモードの、前記弾性部材の弾性力に抗する形の前記内容物放出操作にともなって回動する、当該トリガレバーが、
先ず内容物放出操作前の位置にとどまったままの当該ステムジョイントに対して移動することにより、前記放出口を露出させ、
この放出口露出後のさらなる当該トリガレバーの回動にともない当該ステムジョイントおよびこれと一体の前記ステムを連動させる、
態様で設けられている、
ことを特徴とする内容物放出用のシャットオフトリガ機構。
【請求項２】
前記ロック作用部材は、
前記ステムジョイントを構成する縦筒状部の外側に設けられた回動タイプのもので、前記ロックモードのとき、前記トリガレバーとの当接作用によりその内容物放出操作を阻止するロック作用部を備えたストッパーからなり、
前記トリガレバーは、
前記ロックモードのとき、前記ストッパーのロック作用部と当接して自らの回動を阻止する被ロック作用部を有している、
ことを特徴とする請求項１記載の内容物放出用のシャットオフトリガ機構。
【請求項３】
前記カラー部材は、
上下方向の凹状部を形成して、前記トリガレバーが上端側部分に取り付けられる起立部を有し、
前記弾性部材は、
前記凹状部に配設された板バネである、
ことを特徴とする請求項２記載の内容物放出用のシャットオフトリガ機構。
【請求項４】
前記被ロック作用部は、
前記トリガレバーの後側天井面に形成された垂下部からなり、
前記板バネは、
その上端部が前記後側天井面および前記垂下部の境界部分に保持されている、
ことを特徴とする請求項３記載の内容物放出用のシャットオフトリガ機構。
【請求項５】
前記天板作用部は、
前記ステムジョイントの天板部分である、
ことを特徴とする請求項１乃至４のいずれかに記載の内容物放出用のシャットオフトリガ機構。
【請求項６】
前記ロック作用部材は、
前記ロックモードのとき前記トリガレバーの内容物放出操作を阻止するロック作用部が形成されたスライダからなる、
ことを特徴とする請求項１記載の内容物放出用のシャットオフトリガ機構。
【請求項７】
前記スライダは、
前記カラー部材を構成する上枠状部分に配設されている、
ことを特徴とする請求項６記載の内容物放出用のシャットオフトリガ機構。
【請求項８】
前記スライダは、
前記天板作用部として作動する天板部を有し、
前記ロック作用部は、
前記天板部に形成された縦方向の垂下部から前方向に延びるトリガレバー回動阻止用の保持作用部分である、
ことを特徴とする請求項６または７記載の内容物放出用のシャットオフトリガ機構。
【請求項９】
前記トリガレバーは、
前記内容物放出操作にともない前記ステムジョイントを作動モード位置へと駆動するステムジョイント駆動部からなる被ロック作用部を有し、
前記保持作用部分は、
前記トリガレバーの前記被ロック作用部を保持して前記内容物放出操作を阻止する、
ことを特徴とする請求項８記載の内容物放出用のシャットオフトリガ機構。
【請求項１０】
前記弾性部材は、
前記トリガレバーと前記ステムジョイントとを一体化して、前記スライダへの被ロック作用部を有するバネ部材であり、
前記保持作用部分は、
前記バネ部材の前記被ロック作用部を保持して前記トリガレバーの内容物放出操作を阻止する、
ことを特徴とする請求項８記載の内容物放出用のシャットオフトリガ機構。
【請求項１１】
前記バネ部材は、
左右一対でそれぞれ前後方向の上下に略Ｕ字状の弾性作用部と、
当該弾性作用部それぞれの下側端部分を接続した形のＣ字状基部と、
当該弾性作用部それぞれの上前端側部分の間に形成された連結軸状部とからなり、
前記連結軸状部が前記被ロック作用部として作動する、
ことを特徴とする請求項１０記載の内容物放出用のシャットオフトリガ機構。
【請求項１２】
前記ステムジョイントは、
前記ステムの出力側筒状部分に固定された大径筒状部からなる被ロック作用部を有し、
前記保持作用部分は、
前記ステムジョイントの前記被ロック作用部を付加的に保持して前記トリガレバーの内容物放出操作を阻止する、
ことを特徴とする請求項９乃至１１のいずれかに記載の内容物放出用のシャットオフトリガ機構。
【請求項１３】
請求項１乃至請求項１２のいずれかに記載のシャットオフトリガ構体を備え、かつ、容器本体に内容物を収納した、
ことを特徴とするポンプ式製品。
【請求項１４】
請求項１乃至請求項１２のいずれかに記載のシャットオフトリガ機構を備え、かつ、容器本体に噴射用ガスおよび内容物を収納した、
ことを特徴とするエアゾール式製品。
【発明の詳細な説明】
【技術分野】
【０００１】
本発明は、トリガレバーの内容物放出操作により容器本体側の内容物が放出口から外部空間域に放出されるシャットオフトリガ機構などに関する。
【０００２】
特に、トリガレバーの内容物放出操作（引き操作）がおこなわれていない静止モードのとき、当該トリガレバーで内容物の放出口をカバーして保護し、
さらにはストッパーやスライダなどのロック作用部材の操作により、静止モードにおいて内容物放出操作を阻止するロックモードと、同モードにおいて内容物放出操作を可能とするアンロックモードと、を選択的に設定できようにしたシャットオフトリガ機構などに関する。
【０００３】
本明細書では、前後左右の位置関係について、トリガレバー７，１７の操作対象部７ａ，１７ａの側を「前」、それとは反対の例えば孔部７ｂ，凸状軸部１７ｂの側を「後」とそれぞれ記す。
【０００４】
この前後方向とおおよそ水平面内で略直交する方向などを「左右」とする。また、上下方向を「縦」ともいい、この縦方向に対して略直交する任意の方向を「横」という。ここでは「左右方向」に加えて、「前後方向」も「縦方向（上下方向）」に対する「横方向」ともいえる。
【０００５】
例えば図１〜図４，図１０〜図１３は前後方向の断面図であり、カラー部材６の直起立部６ｍは左右方向および縦方向に延び、バネ部材１９の連結軸状部１９ｃは左右方向に延びている。また、ステムジョイント５の横筒状部５ｂなどは前後方向の筒状部からなっている。
【０００６】
上述したように、トリガレバーの内容物放出操作がおこなわれていない静止モードは当該トリガレバーの操作が阻止されるロックモードと、当該操作が阻止されないアンロックモードとに区別され、本明細書ではそれぞれを必要に応じて「静止ロックモード」，「静止アンロックモード」という。
【０００７】
また、内容物放出口がカバーされて外部空間域の方に露出しない状態を「シャットオフ状態」といい、トリガレバーの内容物放出操作により内容物が放出される状態を「作動モード」という。
【背景技術】
【０００８】
本件出願人は、静止モードのとき、トリガレバーおよびドーム状のカラー部材で内容物放出口などをカバーして保持し、作動モード設定操作にともなうトリガレバーの移動により内容物放出口などが露出して、ステムが作動モード位置へと下動し、また、内容物放出操作の解除にともないトリガレバーが弾性部材の作用により静止モード位置へ自動復帰する、すなわち内容物放出口などがトリガレバーでカバーされた形のシャットオフトリガ機構を提案している（特許文献１参照）。
【先行技術文献】
【特許文献】
【０００９】
【特許文献１】特願２０１２−１８１８４６
【発明の概要】
【発明が解決しようとする課題】
【００１０】
提案済みのシャットオフトリガ機構は、静止モードのとき、操作部材とこれを保持するカラー部材とで内容物放出口をカバーして保護し、トリガレバーを弾性力に抗しながら内容物放出用の引き操作（回動操作）をすることにより内容物放出口が露出し、かつ、この引き操作を解除すれば静止モードに自動復帰するという利点を備えたものである。
【００１１】
本発明では、このような利点を備えたシャットオフトリガ機構のさらなる機能として、静止モードにおけるトリガレバーの引き操作（内容物放出操作）阻止機能を備え、これによりシャットオフトリガ機構の元々外部空間域に露出しないようにカバーされている内容物放出口のいわば不用意な露出状態移行の防止化を図ることを目的とする。
【００１２】
また、トリガレバーの引き操作阻止機能を備えるロック作用部材として、
(11)ステムに嵌合保持されて内容物放出口を備えたステムジョイントの周方向に回動する態様のストッパーを、トリガレバーの下方空間域に設け、
(12)このステムジョイントやトリガレバー付勢用の弾性部材に対して前後方向に移動する態様のスライダを、容器本体側に取り付けられてトリガレバーおよびステムジョイントなどの保護するカラー部材のいわば天板相当の形で設け、
これにより、トリガレバーの引き操作阻止およびその解除のためのロック作用部材の操作自体の簡単化を図るとともに、このロック作用部材を含めたシャットオフトリガ機構全体の外観についての良好なデザイン性確保を図ることを目的とする。
【課題を解決するための手段】
【００１３】
本発明は、以上の課題を次のシャットオフトリガ機構を用いることにより解決する。
（１）利用者の内容物放出操作に基づいて露出状態に移行する放出口（例えば後述の放出口５ｅ，１５ｊ）から容器本体の内容物を外部空間域に放出するシャットオフトリガ機構において、
前記内容物放出操作に用いられて、かつ、当該内容物放出操作がおこなわれていないときは前記放出口がカバーされて前記外部空間域の方に露出しない形のシャットオフ状態を設定するトリガレバー（例えば後述のトリガレバー７，１７）と、
前記内容物放出操作がおこなわれていないときの前記トリガレバーとともに前記放出口をカバーする天板作用部（例えば後述のステムジョイント５の天板部分５ｊ，スライダ１８の天板部１８ａ）と、
前記トリガレバーの回動基部（例えば後述の凸状軸部６ｋ，孔部１６ｅ）を有して容器本体に一体化されるカラー部材（例えば後述のカラー部材６，１６）と、
前記内容物放出操作に応じた弁作用を呈するステム（例えば後述のステム４，１４）に取り付けられて、当該内容物放出操作の開始から遅延して駆動されるステムジョイント（例えば後述のステムジョイント５，１５）と、
前記トリガレバーを前記シャットオフ状態の位置に付勢する弾性部材（例えば後述の板バネ９，バネ部材１９）と、
前記トリガレバーを前記シャットオフ状態の位置に保持して前記内容物放出操作が阻止されるロックモード、およびこのロックモードの解除により当該内容物放出操作が可能となるアンロックモードを、選択的に設定するためのロック作用部材（例えば後述のストッパー８，スライダ１８）と、を備え、
前記トリガレバーおよび前記ステムジョイントは、
前記ロック作用部材により設定された前記アンロックモードの、前記弾性部材の弾性力に抗する形の前記内容物放出操作にともなって回動する、当該トリガレバーが、
先ず内容物放出操作前の位置にとどまったままの当該ステムジョイントに対して移動することにより、前記放出口を露出させ、
この放出口露出後のさらなる当該トリガレバーの回動にともない当該ステムジョイントおよびこれと一体の前記ステムを連動させる、
形で設けられている、
構成態様のものを用いる。
（２）上記（１）において、
前記ロック作用部材は、
前記ステムジョイント（例えば後述のステムジョイント５）を構成する縦筒状部（例えば後述の縦筒状部５ａ）の外側に設けられた回動タイプのもので、前記ロックモードのとき、前記トリガレバーとの当接作用によりその内容物放出操作を阻止するロック作用部（例えば後述のロック係止用上端面８ｈ）を備えたストッパー（例えば後述のストッパー８）からなり、
前記トリガレバー（例えば後述のトリガレバー７）は、
前記ロックモードのとき、前記ストッパーのロック作用部と当接して自らの回動を阻止する被ロック作用部（例えば後述の被ロック作用部７ｅ）を有している、
構成態様のものを用いる。
（３）上記（２）において、
前記カラー部材（例えば後述のカラー部材６）は、
上下方向の凹状部（例えば後述の略コの字状の断面形状）を形成して、前記トリガレバーが上端側部分に取り付けられる起立部（例えば後述の斜め起立部６ｈ）を有し、
前記弾性部材は、
前記凹状部に配設された板バネ（例えば後述の板バネ９）である、
構成態様のものを用いる。
（４）上記（３）において、
前記被ロック作用部は、
前記トリガレバーの後側天井面（例えば後述の天井面７ｃ）に形成された垂下部（例えば後述の垂下部７ｄ）からなり、
前記板バネは、
その上端部が前記後側天井面および前記垂下部の境界部分に保持されている、
構成態様のものを用いる。
（５）上記（１）〜（４）において、
前記天板作用部は、
前記ステムジョイントの天板部分（例えば後述の天板部分５ｊ）である、
構成態様のものを用いる。
（６）上記（１）において、
前記ロック作用部材は、
前記ロックモードのとき当該トリガレバーの内容物放出操作を阻止するロック作用部（例えば後述の上段部１８ｇ，下段部１８ｈ，円弧状段部１８ｍ）を備えたスライダ（例えば後述のスライダ１８）からなる、
構成態様のものを用いる。
（７）上記（６）において、
前記スライダは、
前記カラー部材（例えば後述のカラー部材１６）を構成する上枠状部分（例えば後述の上端枠状部１６ｕ）に取り付けられている、
構成態様のものを用いる。
（８）上記（６），（７）において、
前記スライダは、
前記天板作用部として作動する天板部（例えば後述の天板部１８ａ）を有し、
前記ロック作用部は、
前記天板部に形成された縦方向の垂下部（例えば後述の柱状垂下部１８ｄ）から前方向に延びるトリガレバー回動阻止用の保持作用部分（例えば後述の上段部１８ｇ，下段部１８ｈ，円弧状段部１８ｍ）である、
構成態様のものを用いる。
（９）上記（８）において、
前記トリガレバーは、
前記内容物放出操作にともない前記ステムジョイントを作動モード位置へと駆動するステムジョイント駆動部からなる被ロック作用部（例えば後述の板状垂下部１７ｅの直線状下端面１７ｆ）を有し、
前記保持作用部分（例えば後述の上段部１８ｇ）は、
前記トリガレバーの前記被ロック作用部を保持して前記内容物放出操作を阻止する、
構成態様のものを用いる。
（１０）上記（８）において、
前記弾性部材は、
前記トリガレバーと前記ステムジョイントとを一体化して、前記スライダへの被ロック作用部（例えば後述の連結軸状部１９ｃ）を有するバネ部材（例えば後述のバネ部材１９）であり、
前記保持作用部分（例えば後述の下段部１８ｈ）は、
前記バネ部材の前記被ロック作用部を保持して前記トリガレバーの内容物放出操作を阻止する、
構成態様のものを用いる。
（１１）上記（１０）において、
前記バネ部材は、
左右一対でそれぞれ前後方向の上下に略Ｕ字状の弾性作用部（例えば後述の弾性作用部１９ａ）と、
当該弾性作用部それぞれの下側端部分を接続した形のＣ字状基部（例えば後述のＣ字状基部１９ｂ）と、
当該弾性作用部それぞれの上前端側部分の間に形成された連結軸状部（例えば後述の連結軸状部１９ｃ）とからなり、
前記連結軸状部が前記被ロック作用部として作動する、
構成態様のものを用いる。
（１２）上記（９），（１０），（１１）において、
前記ステムジョイントは、
前記ステム（例えば後述のステム１４）の出力側筒状部分に固定された大径筒状部（例えば後述の大径筒状部１５ｃ）からなる被ロック作用部を有し、
前記保持作用部分（例えば後述の円弧状段部１８ｍ）は、
前記ステムジョイントの前記被ロック作用部を付加的に保持して前記トリガレバーの内容物放出操作を阻止する、
構成態様のものを用いる。
【００１４】
このような構成からなるシャットオフトリガ機構、ならびに当該シャットオフトリガ機構を備えて後述のガス，内容物などを容器本体に収容したエアゾール式製品および当該シャットオフトリガ機構を備えて後述の内容物などを容器本体に収容したポンプ式製品を本発明の対象としている。
【発明の効果】
【００１５】
本発明は以上の課題解決手段をとることにより、
(21)シャットオフトリガ機構の元々外部空間域に露出しないようにカバーされている内容物放出口のいわば不用意な露出状態移行の防止化を図ることができ、
(22)トリガレバーの引き操作阻止およびその解除のためのロック作用部材の操作自体の簡単化を図るとともに、このロック作用部材を含めたシャットオフトリガ機構全体の外観についての良好なデザイン性確保を図ることができる。
【図面の簡単な説明】
【００１６】
【図１】シャットオフトリガ機構（その１）の静止ロックモード（ストッパー８が図９(a)の位置）の縦断面を示す説明図である。
【図２】図１のシャットオフトリガ機構の静止アンロックモード（ストッパー８がその矢印方向への回動操作により図９(a)から同図(b)の位置に移動した状態）の縦断面を示す説明図である。
【図３】図２のシャットオフトリガ機構のトリガレバー７を反時計方向に回動操作したときの初期段階（ステムジョイント５の放出口５ｅが露出するものの、ステム４はまだ下方に移動してない内容物未放出の状態）の縦断面を示す説明図である。
【図４】図３のシャットオフトリガ機構のトリガレバー７を反時計方向にさらに回動操作したときの内容物放出状態（作動モード）の縦断面を示す説明図である。
【図５】図１のシャットオフトリガ機構を構成するステムジョイント５の斜視状態を示す説明図である。
【図６】図１のシャットオフトリガ機構を構成するカラー部材６およびトリガレバー７の連結斜視状態を示す説明図である。
【図７】図１のシャットオフトリガ機構を構成するカラー部材６および板バネ９それぞれの斜視状態を示す説明図である。
【図８】図１のシャットオフトリガ機構を構成するストッパー８の斜視状態を示す説明図である。
【図９】図１のシャットオフトリガ機構を構成するカラー部材６およびストッパー８の連結斜視状態を示す説明図であり、(a)はストッパー８の静止ロックモードの状態を示し、(b)はストッパー８の静止アンロックモードの状態を示している。
【図１０】シャットオフトリガ機構（その２）の静止ロックモード（スライダ１８が最前方位置）の縦断面を示す説明図である。
【図１１】図１０のシャットオフトリガ機構の静止アンロックモード（スライダ１８がそのスライド操作により後退して、その後端面がカラー部材１６の後側内周面に当接した状態）の縦断面を示す説明図である。
【図１２】図１１のシャットオフトリガ機構のトリガレバー１７を反時計方向に回動操作したときの初期段階（ステムジョイント１５の放出口１５ｊが露出するものの、ステム１４はまだ下方に移動していない内容物未放出状態）の縦断面を示す説明図である。
【図１３】図１２のシャットオフトリガ機構のトリガレバー１７を反時計方向にさらに回動操作したときの内容物放出状態（作動モード）の縦断面を示す説明図である。
【図１４】図１０のシャットオフトリガ機構を構成するステムジョイント１５の斜視状態を示す説明図である。
【図１５】図１０のシャットオフトリガ機構を構成するカラー部材１６の斜視状態を示す説明図である。
【図１６】図１０のシャットオフトリガ機構を構成するトリガレバー１７およびバネ部材１９それぞれの斜視状態を示す説明図である。
【図１７】図１０のシャットオフトリガ機構を構成するスライダ１８の前方斜視状態を示す説明図である。
【図１８】図１０のシャットオフトリガ機構を構成するスライダ１８の後方斜視状態を示す説明図である。
【発明を実施するための最良の形態】
【００１７】
図１乃至図１８を用いて本発明を実施するための最良の形態を説明する。
【００１８】
図１〜図９のポンプ式製品を前提としたシャットオフトリガ機構は、ネジキャップ１，ハウジング２，環状ブッシュ部材３，ステム４，ステムジョイント５，カラー部材６，トリガレバー７，ストッパー８および板バネ９などからなっている。
【００１９】
図１０〜図１８のエアゾール式製品を前提としたシャットオフトリガ機構は、（容器本体１１に取り付けられる）マウンティングキャップ１２，ハウジング１３，ステム１４，ステムジョイント１５，カラー部材１６，トリガレバー１７，スライダ１８およびバネ部材１９などからなっている。
【００２０】
上述したように、トリガレバー７，１７が引き操作されていない静止モードは、ストッパー８およびスライダ１８の設定位置により、トリガレバー７，１７の内容物放出操作が阻止される静止ロックモードと、阻止されない静止アンロックモードとに区別される。
【００２１】
この静止ロックモードのシャットオフトリガ機構を使用するには、利用者が先ずストッパー８およびスライダ１８の位置を変更してトリガレバー７，１７の内容物放出操作阻止状態（ロックモード）を解除する、すなわち当該トリガレバーのロックモードからアンロックモードに変更することが必要である。
【００２２】
これら図１〜図１８で開示されるシャットオフトリガ機構の基本的特徴は、
(31)内容物放出弁作用を呈するステム４，１４が、カラー部材６，１６に取り付けられたトリガレバー７，１７の引き操作により駆動されて、それまでの内容物放出操作がおこなわれていない静止モードから内容物放出状態へと移行するトリガレバー機構を前提とし、
(32)静止モードでは、ステム４，１４に取り付けられたステムジョイント５，１５の内容物放出口を、板バネ９，バネ部材１９などの弾性部材により静止モードの位置へ付勢されるトリガレバー７，１７のカバー作用で、外部空間域に露出しない状態に設定し、
(33)板バネ９，バネ部材１９などの弾性力に抗する形でのトリガレバー引き操作の初期段階においては、ステム４，１４などの放出弁作用部を静止モードと同じ閉状態に設定したままで内容物放出口が外部空間域に露出し、その後のさらなるトリガレバー引き操作によりはじめてステム４，１４が駆動され、すなわち放出弁作用部の開状態への移行により内容物が外部空間域に放出され、
(34)ストッパー８，スライダ１８などからなるロック作用部材の操作により、トリガレバー７，１７の引き操作阻止状態（ロックモード）と引き操作可状態（アンロックモード）とが選択的に設定される、
ことである。
【００２３】
また、図１〜図９のシャットオフトリガ機構では、
(41)トリガレバー７の引き操作により下方向に駆動されて剛性Ｌ字状筒状部からなるステムジョイント５の縦筒状部の外側に、回動タイプのストッパー８を設け、
(42)ステムジョイント５は、その先端側の内容物放出口もトリガレバー７の引き操作により下方向に移動する態様で設定され、
(43)ストッパー８の回動操作により、トリガレバー７およびステム４が静止モード位置にロックされた放出操作阻止状態（ロックモード）と、トリガレバー７の引き操作およびこれにともなうステム４の下動が阻止されない放出操作可状態（アンロックモード）と、を選択している。
【００２４】
また、図１０〜図１８のシャットオフトリガ機構では、
(51)カラー部材１６の上端枠状部に前後方向へのスライドが可能なスライダ１８を設け、
(52)ステムジョイント１５は、その先端側の内容物放出口がトリガレバー１７の引き操作後も静止モードの位置に保持される可撓性Ｌ字状筒状部の態様で設定され、
(53)スライダ１８のスライド操作により、トリガレバー１７およびステム１４が静止モード位置にロックされた放出操作阻止状態（ロックモード）と、トリガレバー１７の引き操作およびこれにともなうステム１４の下動が阻止されない放出操作可状態（アンロックモード）と、を選択している。
【００２５】
以下のアルファベット付き参照番号の構成要素（例えば上側開口部１ａ）は原則として、この参照番号数字部分の構成要素（例えばネジキャップ１）の一部であることを示している。
【００２６】
図１〜図９において、
１は後述の各種放出対象内容物を収容した周知の容器本体（図示省略）の開口部外周面に螺合する周知のネジキャップ，
１ａは当該ネジキャップの上側開口部，
をそれぞれ示している。
【００２７】
また、
２はネジキャップ１と容器本体との螺子作用により容器本体側に取り付けられて、次回の放出対象内容物などを収容する周知のハウジング，
２ａはネジキャップ１の上側開口部１ａから上方に飛び出た形の上端側筒状部，
をそれぞれ示している。
【００２８】
また、
３はハウジング２の上端側筒状部２ａの内周面に嵌合固定されて、ハウジングの内容物貯留空間域のシール作用や後述のステムジョイント５の上下動案内作用などを呈する略Ｕ字状の縦断面形状からなる環状ブッシュ部材，
３ａは当該環状ブッシュ部材の内側筒状部の内周面上端側部分に形成されて、後述のステムジョイント５の外側下端段部５ｈとの係合作用により当該ステムジョイントの最上動位置を設定し、かつ、当該ステムジョイントが上方へいわば抜けるのを阻止するための環状の内側上端段部，
をそれぞれ示している。
【００２９】
また、
４はハウジング２および環状ブッシュ部材３の内部空間域などに周知のコイルスプリング（図示省略）からの上方向への弾性力を受ける態様で配設されて、後述のトリガレバー７の引き操作に応じた内容物放出のための弁作用（ポンプ作用）を呈する周知のステム，
４ａは外部空間域へ放出される内容物の中間通路域，
をそれぞれ示している。
【００３０】
また、
５は縦筒状部およびこれに続く横筒状部の剛性Ｌ字状筒状部からなり、当該縦筒状部がステム４の出力側外周面に嵌合固定されて当該ステムと連動し、かつ、内容物の出力側通路域として作用するステムジョイント，
５ａは縦筒状部，
５ｂは縦筒状部５ａの下流側に続く横筒状部，
５ｃは中間通路域４ａから連続して設定される出力側通路域，
５ｄは出力側通路域５ｃの先端側に取り付けられたノズル，
５ｅはノズル５ｄの先端部分に形成された内容物放出用の放出口，
５ｆは縦筒状部５ａの外周面上端部分に横筒状部５ｂを挟みこむような位置関係（周方向に１８０度離間した位置関係）で形成されて、後述のトリガレバーの引き操作により駆動される外向き態様で縦断面円形状からなる一対の低円柱状部，
５ｇは縦筒状部５ａの外周面の各低円柱状部５ｆの直下部分を含む周方向等間隔の位置に、それぞれ縦方向に形成された縦断面長方形状の計四個の長方形凸状部，
５ｈは縦筒状部５ａの外周面の下端部分（長方形凸状部５ｇそれぞれの延長線上の下端部分）に形成された抜け防止用の計四個の外側下端段部，
５ｊは横筒状部５ｂの上側に連結された天板部分（天板作用部），
をそれぞれ示している。
【００３１】
また、
６は概略、ハウジング２の上端側筒状部２ａに対応した筒状部（上筒状部６ｂ＋下外側筒状部６ｃ＋下内側筒状部６ｄ）と、当該筒状部から斜め上方に延びるトリガレバー取付け部とからなり、当該上端側筒状部の外周面および環状ブッシュ部材３の断面Ｕ字状からなる環凹状部にそれぞれ嵌合固定されて容器本体と一体化されるカラー部材，
６ａは当該カラー部材（筒状部）の環状天面，
６ｂは環状天面６ａの内端部分から上向きに形成された上筒状部，
６ｃは環状天面６ａの外端部分から下向きに形成されてハウジング２の上端側筒状部２ａと係合する下外側筒状部，
６ｄは環状天面６ａの略内端部分から下向きに形成されて環状ブッシュ部材３の環凹状部（断面Ｕ字状）と嵌合する下内側筒状部
６ｅは上筒状部６ｂの下側内周面の周方向略１３５度の範囲に形成されて、後述のストッパー８の回動範囲を規制するための周方向上段部，
６ｆは上筒状部外周面に後述の板バネ９の下端部９ｃを受ける態様で形成された一対の縦柱状部，
６ｇは上筒状部６ｂの上側内周面に形成されて後述のストッパー８の抜け防止作用を呈する環凸状部，
６ｈは下外側筒状部６ｃの外周面および環状天面６ａから上斜め方向に延びる態様で形成されて、略コの字状の断面形状（上下方向の凹状部）からなるトリガレバー取付け用の斜め起立部，
６ｊは斜め起立部６ｈを構成する一対の側板，
６ｋは各側板６ｊの上端側外面部分に形成されて、後述のトリガレバー７を保持しその回動中心として作用する低円柱状の一対の凸状軸部（回動基部），
６ｍは一対の凸状軸部６ｋの間の内側部分に形成されて後述の板バネ９の湾曲中間部分９ｂを受ける垂直態様の直起立部，
６ｎは各側板６ｊの前曲面部分にそれぞれ形成されて後述のストッパー８の後側底面部８ｊを受ける水平態様の側板段部，
をそれぞれ示している。
【００３２】
また、
７はカラー部材６の各凸状軸部６ｋに回動可能な形で取り付けられた上側・下側開口態様のトリガレバー，
７ａは当該トリガレバーの操作対象部，
７ｂは当該トリガレバーの側面後端部分に形成されてカラー部材６の凸状軸部６ｋとの係合作用により回動中心となる一対の孔部，
７ｃは当該トリガレバーの後側（回動中心側）に形成された天井面，
７ｄは天井面７ｃの前端側に形成されて当該天井面とともに後述の板バネ９の上端部９ａを受ける垂下部，
７ｅは垂下部７ｄの（操作対象部７ａの側からみて）左側の長垂下部分からなり、その下端面が後述のストッパー８のロック係止用上端面８ｈと当接して当該トリガレバーの引き操作が阻止されるロックモードを設定するための被ロック作用部，
７ｆは被ロック作用部７ｅの右隣に形成されて、当該トリガレバーの引き操作が可能なアンロックモードを設定するための方形切欠状部，
７ｇは垂下部７ｄの手前側の天井面７ｃに形成されて、当該トリガレバーの引き操作開始から所定の遊びストロークを経た後でステムジョイント５の低円柱状部５ｆに当接して当該ステムジョイントおよびこれと一体のステム４を作動モード位置へと駆動する一対のＣ字状曲面部，
７ｈはＣ字状曲面部７ｇの直外側部分に形成されてステムジョイント５の低円柱状部５ｆの端面への案内作用を呈する平板態様で一対の側板状片部，
をそれぞれ示している。
【００３３】
また、
８はカラー部材６の上筒状部６ｂの環状上端面に案内されながら当該上筒状部の周方向４５度ほどの範囲で回動可能な形に設けられて、トリガレバー７のロックモード（トリガレバー引き操作阻止）とアンロックモード（トリガレバー引き操作可）とを選択的に設定するストッパー（ロック作用部材），
８ａは当該ストッパーの中央部分であって、ステムジョイント５の縦筒状部５ａの外周面に略当接する状態でカラー部材６の上筒状部６ｂの上端面に保持された中央筒状部，
８ｂは中央筒状部８ａの内周面に周方向等間隔で形成されて、それぞれ、ロックモードにおけるステムジョイント５の長方形凸状部５ｇの下端面と当接してトリガレバー引き操作阻止状態を保持し、かつ、アンロックモードのときには当該下端面から周方向にずれることにより当該ステムジョイントが下方向へ移動可能な状態（＝トリガレバー引き操作可の状態）に設定する計四個の凸状段部，
８ｃは中央筒状部８ａの下端部分における周方向１８０度ほどの範囲に形成されて、トリガレバー７のロックモードまたはアンロックモードを設定した際に上筒状部６ｂ（カラー部材６）の周方向上段部６ｅの横端面（周方向端面）の一方と選択的に当接する態様の周方向垂下部，
８ｄは中央筒状部８ａの外周面に形成されて上筒状部６ｂ（カラー部材６）の上端面に当接した状態で回動案内される下向きの環状段部（天井部），
８ｅは中央筒状部８ａの外周面下端部分に形成されてカラー部材６の環凸状部６ｇとの協働作用（抜け防止作用）を呈する環状上向きの下端側段部，
８ｆは中央筒状部８ａの外周面における周方向垂下部８ｃが存在しない側に形成されたロック操作部，
８ｇは中央筒状部８ａの外周面における周方向垂下部８ｃが存在する側（ロック操作部８ｆとは周方向に略１８０度離れた部分）に略コの字状の断面形状で形成されたロック設定部，
８ｈはロック設定部８ｇを構成するロック係止用上端面（ロック作用部），
８ｊはロック設定部８ｇに外向き水平態様で形成されて、トリガレバー７のロックモードおよびアンロックモードのそれぞれの位置でカラー部材６の側板段部６ｎの一方に略当接保持される後側底面部，
をそれぞれ示している。
【００３４】
また、
９はカラー部材６の斜め起立部６ｈの内側凹状部に組み込まれて、トリガレバー７がその孔部７ｂ（凸状軸部６ｋ）を中心に図１の時計方向へ回動する態様で付勢される湾曲形状の板バネ（弾性部材），
９ａはトリガレバー７の天井面７ｃおよび垂下部７ｄのいわば境界部分に保持される上端部，
９ｂはカラー部材６の直起立部６ｍに保持される湾曲中間部分，
９ｃはカラー部材６の縦柱状部６ｆのそれぞれに保持されて前開口の方形断面箱状部からなる下端部，
をそれぞれ示している。
【００３５】
ここで、ネジキャップ１，ハウジング２，環状ブッシュ部材３，ステム４，ステムジョイント５，カラー部材６，トリガレバー７およびストッパー８などは例えばポリプロピレン，ポリエチレン，ポリアセタール，ナイロン，ポリブチレンテレフタレートなどからなるプラスチック製のものである。板バネ９はプラスチック製，金属製のものである。
【００３６】
図１〜図４のシャットオフトリガ機構の組立て手順は例えば次のようになる。
(61)ストッパー８の中央筒状部８ａの下側をカラー部材６の上筒状部６ｂの中にその上方から入れて、ストッパー８の環状段部８ｄが当該上筒状部の上端面に当接し、かつ、ストッパー８の下端側段部８ｅを、カラー部材６の環凸状部６ｇとの間で径方向に相対的な弾性変形を生じながら当該環凸状部を通過してその下方に位置する状態に設定し、
(62)次に、板バネ９をカラー部材６の側板６ｊ同士の間に入れて、当該板バネの下端部９ｃがカラー部材６の縦柱状部６ｆに略当接するように設定し、
(63)次に、トリガレバー７の孔部７ｂをカラー部材６の凸状軸部６ｋに係合させ、
(64)次に、ステムジョイント５をトリガレバー７の上側開口部から下方に入れて、当該ステムジョイントの外側下端段部５ｈが内側に弾性変形しながらカラー部材６の環状天面の縁部分を通過してその下方に位置する状態に設定し、
(65)次に、以上の手順により一体化されたいわば上ユニット（ステムジョイント５，カラー部材６，トリガレバー７，ストッパー８および板バネ９）と、別途一体化済みの下ユニット〔ハウジング２，環状ブッシュ部材３，ステム４およびステム上方向付勢用のコイルスプリング（図示省略）〕とを、このユニット間に回転自在なネジキャップ１が介在した形で嵌合させる。
【００３７】
上記(65)の作業により、ハウジング２の上端側筒状部２ａの外周面とカラー部材６の下外側筒状部６ｃの内周面などとが強く嵌合し、またステムジョイント５の外側下端段部５ｈが、内側に弾性変形しながら環状ブッシュ部材３の中側筒状部の上端側内周面を通過してその下端側の内側上端段部３ａに係合する状態に設定される。
【００３８】
トリガレバー７が操作されていない静止モード（図１，図２参照）のとき、
(71)ステム４およびこれと一体のステムジョイント５は、周知のコイルスプリング（図示省略）の弾性力により上動して、当該ステムジョイントの外側下端段部５ｈが環状ブッシュ部材３の内側上端段部３ａに係合した状態に保持され、
(72)トリガレバー７は板バネ９の弾性力によりカラー部材６の凸状軸部６ｋを中心とする図１の時計方向に付勢されて、当該トリガレバーの上開口側の環状上端面がステムジョイント５の天板部分５ｊの下面（天井面）の環状周縁部分に当接した状態に保持され、
(73)この当接保持状態におけるトリガレバー７のＣ字状曲面部７ｇ（ステムジョイント駆動部）は、ステムジョイント５の低円柱状部５ｆから十分に離間している。
【００３９】
この低円柱状部５ｆとＣ字状曲面部７ｇとの離間分に応じて、静止アンロックモードにおけるトリガレバー７の引き操作開始から、ステムジョイント５およびこれと一体のステム４が周知のコイルスプリングの上方向弾性力に抗しながら下方向へ駆動されて内容物放出状態に移行するまでの作動タイミングに、いわば遅延が生じる。
【００４０】
この遅延の間、ステムジョイント５は移動することなしにトリガレバー７が凸状軸部６ｋを中心とする図１の反時計方向に回動する。この回動にともないステムジョイント５の放出口５ｅが外部空間域に露出する。
【００４１】
図１は静止ロックモード（トリガレバー引き操作阻止）を示しており、このときのストッパー８は、
(81)中央筒状部８ａの環状段部８ｄが、カラー部材６の上筒状部６ｂの環状上端面に案内保持され、
(82)中央筒状部８ａの凸状段部８ｂが、それぞれステムジョイント５の長方形凸状部５ｇの下端面に当接し、
(83)ロック設定部８ｇのロック係止用上端面８ｈが、トリガレバー７の被ロック作用部に略当接保持され、
(84)ロック設定部８ｇの後側底面部８ｊが、カラー部材６の一対の側板段部６ｎの中、ロック操作部８ｆの方からみて左側の側板段部に略当接保持されている。
【００４２】
この静止ロックモードのシャットオフトリガ機構においては、容器本体側と一体のカラー部材６（上筒状部６ｂの上端面）に保持されて下方向に移動しえないストッパー８のロック係止用上端面８ｈが、トリガレバー７の被ロック作用部と略当接している。
【００４３】
そのため、利用者がトリガレバー７を引いて回動させようとしても、その被ロック作用部の下端面がストッパー８のロック係止用上端面８ｈに阻止される。すなわち利用者はトリガレバー７の引き操作をすることができない。
【００４４】
図１の静止ロックモードのトリガレバー７を引き操作可能な静止アンロックモードに設定するには、利用者が、図１のストッパー８のロック操作部８ｆを図２の矢印方向に４５度ほど回動操作すればよい。
【００４５】
この４５度ほどの回動操作により、ストッパー８は、
(91)中央筒状部８ａの環状段部８ｄが、静止ロックモードのときと同じようにカラー部材６の上筒状部６ｂの環状上端面に案内保持されたまま、
(92)中央筒状部８ａの凸状段部８ｂが、それぞれステムジョイント５の長方形凸状部５ｇの下端面からその周方向に外れ、
(93)ロック設定部８ｇのロック係止用上端面８ｈが、トリガレバー７の被ロック作用部から外れて方形切欠状部７ｆに対向する態様となり、
(94)ロック設定部８ｇの後側底面部８ｊが、カラー部材６の一対の側板段部６ｎの中、ロック操作部８ｆの方からみて右側の側板段部に略当接保持された、
状態に移行する（図２参照）。
【００４６】
このようにロック係止用上端面８ｈがトリガレバー７の被ロック作用部から外れて方形切欠状部７ｆと対向することにより、トリガレバー７の引き操作が可能な静止アンロックモードに設定される（図２参照）。
【００４７】
図２のトリガレバー７が後方に引かれて反時計方向に回動するとき、トリガレバー７のＣ字状曲面部７ｇがステムジョイント５の低円柱状部５ｆに当接するまでの初期段階においては、主に板バネ９の上端部９ａと湾曲中間部分９ｂとの間の上側部分がその弾性力に抗しながら変形する（図３参照）。
【００４８】
トリガレバー７が図２の静止状態から図３の回動状態まで移動する間、ステムジョイント５およびこれと一体のステム４は変位しない。
【００４９】
このトリガレバー７の初期回動にともない、それまで当該トリガレバーでカバーされていたステムジョイント５の放出口５ｅが外部空間域に露出する。
【００５０】
そして、トリガレバー７のＣ字状曲面部７ｇがステムジョイント５の低円柱状部５ｆに当接した後のさらなるトリガレバー引き操作により、図４に示すように、ステムジョイント５およびステム４の一体物が、ステム上方向付勢用の周知のコイルスプリングをその弾性力に抗する形で変位させながら下方向へと駆動される。
【００５１】
このステムジョイント５が下方向へ駆動されるとき、縦筒状部５ａの外周面に形成された計四個の長方形凸状部５ｇは、それぞれストッパー８の内周面の凸状段部８ｂが形成されていない上下方向部分を通過していく。
【００５２】
ステム４が下方向へと駆動されることにより、周知のポンプ作用部が作動し、ハウジング２（容器本体）に入っている内容物が「ステム４の中間通路域４ａ−ステムジョイント５の出力側通路域５ｃ−ノズル５ｄの放出口５ｅ」を経て外部空間域に放出される。このポンプ作用に基づく内容物放出動作は周知である。
【００５３】
利用者がトリガレバー７の後方への引き操作を解除すると、
(100)ステム４およびこれと一体のステムジョイント５などは周知のステム付勢用のコイルスプリング（図示省略）の弾性力により上方向へ駆動されて、周知の弁作用部（ポンプ作用部）がそれまでの開状態から閉状態へと移行し、
(101)フリー状態となったトリガレバー７は、板バネ９の弾性力により図示時計方向へ回動して、当該トリガレバーの上開口側の環状上端面がステムジョイント５の天板部分５ｊの下面（天井面）の環状周縁部分に当接した状態へと移行する。
【００５４】
すなわち、図４の作動モードのシャットオフトリガ機構は図２の静止アンロックモードへと遷移する。
【００５５】
この静止アンロックモードにおけるストッパー８を図２の矢印方向とは逆方向に回動させることにより、シャットオフトリガ機構は図１の初期状態に復帰する。
【００５６】
図１０〜図１８のシャットオフトリガ機構は、上述したように、マウンティングキャップ１２，ハウジング１３，ステム１４，ステムジョイント１５，カラー部材１６，トリガレバー１７，（操作ロック用の）スライダ１８およびバネ部材１９などからなっている。
【００５７】
図１０〜図１８において、
１１は後述の内容物および噴射用ガスを収納した周知の容器本体，
１２は容器本体１１の開口端部側に取り付けられた周知のマウンティングキャップ，
１２ａは当該マウンティングキャップの外側下端域に設定されて後述のカラー部材１６（筒状基部１６ａの内周面下端側の環凸状部）が強く係合する周知の環凹状部，
１３はマウンティングキャップ１２の中央部分に係合保持され、放出対象内容物の貯留域，通路域として作動するハウジング，
をそれぞれ示している。
【００５８】
また、
１４は弾性力により上方向へ付勢された状態で、ハウジング１３の内部およびその上方空間域に配設されて周知のバルブ作用を呈する鞘形状のステム，
１４ａはステム周面部に形成された弁作用部としての横孔部，
１４ｂはステム内部に形成されて横孔部１４ａと連通する中間通路域，
１４ｃは横孔部１４ａの開閉状態を選択的に設定し、またハウジング内部のシール作用を呈する周知のステムガスケット，
１４ｄは当該ステムを上方向に付勢する周知のコイルスプリング，
をそれぞれ示している。
【００５９】
また、
１５は縦筒状部およびこれに続く横筒状部からなる可撓性Ｌ字状筒状部を備え、当該縦筒状部がステム１４の出力側外周面に嵌合固定されて当該ステムと連動し、かつ、内容物の出力側通路域として作用するステムジョイント，
１５ａは縦筒状部，
１５ｂは縦筒状部１５ａの下流側に続く横筒状部，
１５ｃは縦筒状部１５ａの下端側部分であってステム１４の出力側筒状部分に嵌合固定される大径筒状部，
１５ｄは大径筒状部１５ｃの下端側内周面に形成されてステム１４の環状上端面に当接する環状の天井段部，
１５ｅは縦筒状部１５ａの外周面の大径筒状部１５ｃに続く上側部分にその前方および両横へ延びる略水平態様で形成されて、その上面部分が後述のバネ部材１９のＣ字状基部１９ｂの載置面として作用する半円板状部，
１５ｆは半円板状部１５ｅの左右両端側に形成されて、カラー部材１６の縦段部１６ｈおよび縦四角柱部１６ｍのガイド作用により縦筒状部１５ａの前後方向へのずれや回動方向への捩れなどを阻止する一対の凸状部，
１５ｇは横筒状部１５ｂの外周面に形成された環鍔状部，
１５ｈは横筒状部１５ｂの外周面に、自らの後端面が環鍔状部１５ｇと当接する形で取り付けられた内容物通過用のノズル，
１５ｊはノズル１５ｈの先端部分に形成された内容物噴射用の放出口，
１５ｋはノズル１５ｈの上側部分であって後述のカラー部材１６に係合保持される略三角山形状平面の平天板部，
１５ｍは平天板部１５ｋの左右広がり部分に形成された一対の係合用垂下部，
１５ｎは係合用垂下部１５ｍの外面前後方向に形成されて後述のカラー部材１６の下向き段部１６ｔと係合する一対の凸状上向き段部，
をそれぞれ示している。
【００６０】
また、
１６はマウンティングキャップ１２の環凹状部１２ａに嵌合保持されて、ノズル１５ｈの係合保持部，トリガレバー１７の回動中心部，操作ロック用のスライダ１８のガイド部などとして作用するカラー部材，
１６ａはマウンティングキャップ１２の環凹状部１２ａに嵌合保持される筒状基部，
１６ｂは筒状基部１６ａの上端部分から略上り傾斜で形成された略環状の天面，
１６ｃは天面１６ｂの開口縁部分の左右両側および後側などに形成された起立部，
１６ｄは起立部１６ｃを構成する左右対向状態の一対の平側板状部分，
１６ｅは平側板状部分１６ｄの上端後側に形成されて後述のトリガレバー１７の回動中心部として作用する一対の孔部，
１６ｆは平側板状部分１６ｄの前方内面の上側に設定されてスライダ１８の前側下端面１８ｑを案内する水平方向の一対の上段部，
１６ｇは平側板状部分１６ｄの、前方内面より左右方向外側に後退した形の後方内面上側に設定されて、スライダ１８の後側下端面１８ｒを案内する水平方向の一対の下段部，
１６ｈはこの平側板状部分１６ｄのいわば内側に飛び出た形の前方内面と飛び出ていない形の後方内面との境界部分に形成された一対の縦段部，
１６ｊは上段部１６ｆおよび下段部１６ｇの各外端部分から起立してスライダ１８の左右方向の位置ずれを阻止するための左右一対の起立ガイド面，
１６ｋは平側板状部分１６ｄの上記後方内面における下段部１６ｇの下側に形成されてスライダ１８の外向き凸状部１８ｓを案内する水平方向の一対の溝状部，
１６ｍは平側板状部分１６ｄの上記後方内面の縦方向に形成されて、縦段部１６ｈとの間にステムジョイント１５の凸状部１５ｆを案内する一対の縦四角柱部，
１６ｎは縦四角柱部１６ｍと起立部１６ｃの後側部分との間に、平側板状部分１６ｄの上記後方内面から離間した平面Ｌ字状の水平態様で形成されて、スライダ１８の上凸状部１８ｊの下面部分を案内する一対のレール状上端面，
１６ｐはレール状上端面１６ｎと同様の水平態様で当該レール状上端面の下方に形成されて、スライダ１８の下凹状部１８ｋを案内する一対のレール状の外向き下端凸状部，
１６ｑは起立ガイド面１６ｊの上端部分から外方に延びる一対の天板部，
１６ｒは天板部１６ｑの前端部分に連続形成されてノズル１５ｈを係合保持するための一対の縦柱状部，
１６ｓは縦柱状部１６ｒの内側面上側に形成されてノズル１５ｈの平天板部１５ｋを保持するための一対の三角状上段部，
１６ｔは三角状上段部１６ｓから下方に続く縦凹状部の下側に形成されてノズル１５ｈの凸状上向き段部１５ｎと係合する一対の下向き段部，
１６ｕは天板部１６ｑおよび縦柱状部１６ｒそれぞれの外縁部分から外側に連続する態様で形成されて、その下面（天井面）でトリガレバー１７の上端面部分を受ける平面略Ｖ字状の上端枠状部（上枠状部分），
１６ｖは上端枠状部１６ｕの内側面（前端側部分を除く）に形成されてロックモードのスライダ１８を受ける対向状態の一対の曲線状段部，
１６ｗは平側板状部分１６ｄの前端上面部分に後方外広がりの態様で形成されて、当該カラー部材の孔部１６ｅに取り付けられるトリガレバー１７のガイド面として作用する一対の後方向斜面，
をそれぞれ示している。
【００６１】
また、
１７はカラー部材１６の孔部１６ｅに回動可能な形で取り付けられた上側・下側開口態様のトリガレバー，
１７ａは当該トリガレバーの操作対象部，
１７ｂは当該トリガレバーの内側面後端部分に形成されてカラー部材１６の孔部１６ｅとの係合作用により回動中心となる一対の凸状軸部，
１７ｃは当該トリガレバーの内部空間域における操作対象部１７ａの裏面の上下方向中間部分から後方向，左右方向に、三個のリブ状部で支持される態様により形成された天板状部，
１７ｄは天板状部１７ｃの後側部分に形成された方形状の切欠状部，
１７ｅは切欠状部１７ｄの左右両側の縁部分から下方に形成されて後述のバネ部材１９との協働作用を呈する一対の板状垂下部，
１７ｆは板状垂下部１７ｅの後側下端面であってロックモード（トリガレバー操作阻止）のときに水平状態に設定される一対の直線状下端面（被ロック作用部），
１７ｇは直線状下端面１７ｆの前端部分とそこから起立する部分との境界域に形成された一対の小さな曲線状角端面，
１７ｈは板状垂下部１７ｅの直線状下端面１７ｆより前方部分に形成されて後述のバネ部材１９の連結軸状部１９ｃと係合するΩ状部（凹状部），
をそれぞれ示している。
【００６２】
また、
１８はロックモード（トリガレバー操作阻止）においてカラー部材１６の曲線状段部１６ｖに保持される操作ロック用のスライダ(ロック作用部材），
１８ａは当該スライダの上部分であって小判状・変形楕円状の天板部（天板作用部），
１８ｂは天板部１８ａの上面に形成されたスライド操作用の窪み状部，
１８ｃは天板部１８ａの前端部分，
１８ｄは天板部１８ａの天井面後側部分の左右方向に形成された板状でロック作動用の柱状垂下部，
１８ｅは柱状垂下部１８ｄの前面の左右中央部分に天板部１８ａの天井面から前後方向の垂下板状態で形成された補強リブ，
１８ｆは柱状垂下部１８ｄの左右両端側前面に補強リブ１８ｅの下側部分を挟む離間態様で前後方向に形成された一対のロック作動用の縦方向片部，
１８ｇは縦方向片部１８ｆの前面上側部分から前方向に延びる態様で形成されて、トリガレバー１７のロックモードのときに後述のバネ部材１９の連結軸状部１９ｃを当接保持する一対の上段部（ロック作用部，保持作用部分），
１８ｈは縦方向片部１８ｆの外側面下端部分から前方向に延びる態様で形成されて、ロックモードのときにトリガレバー１７の直線状下端面１７ｆを当接保持する一対の下段部（ロック作用部，保持作用部分），
１８ｊは柱状垂下部１８ｄの左右の外側面下側部分に形成されて、当該スライダのスライド操作の際に、自らの下面部分がカラー部材１６のレール状上端面１６ｎに案内される一対の上凸状部，
１８ｋは柱状垂下部１８ｄの左右外側面の上凸状部１８ｊよりも下側に形成されて、当該上凸状部と同様にカラー部材１６のレール状の外向き下端凸状部１６ｐに案内される一対の下凹状部，
１８ｍは柱状垂下部１８ｄの前面下端側から前方向に延びる態様で形成されて、ロックモードのときにステムジョイント１５の大径筒状部１５ｃの下端面部分を当接保持する円弧状段部（ロック作用部，保持作用部分），
１８ｎは柱状垂下部１８ｄの後面側における（三個の上下方向リブ中の）中央Ｌ字状リブの下後端面部分に形成されて、トリガレバー１７のロックモードのときにカラー部材１６の起立部１６ｃの後側内面の上端部分に係止して保持される下向き凸状部，
１８ｐは天板部１８ａの後側天井面から下方に延びる態様で、柱状垂下部１８ｄの左右両側離間部分の前後方向に形成された被ガイド用の一対の板状垂下部，
１８ｑは板状垂下部１８ｐの前側部分であってカラー部材１６の上段部１６ｆに案内される一対の前側下端面，
１８ｒは板状垂下部１８ｐの後側部分であってカラー部材１６の下段部１６ｇに案内される一対の後側下端面，
１８ｓは前側下端面１８ｑと後側下端面１８ｒとの間の下端側外面部分に形成されてカラー部材１６の溝状部１６ｋに案内される一対の前後方向の外向き凸状部，
１８ｔは天板部１８ａの天井面後端側から下方に延びる態様で、（補強リブ１８ｅから後続態様の）上記中央Ｌ字状リブとその両側の板状垂下部１８ｐの後側部分との間のエリアそれぞれの左右横方向に形成されて、当該スライダの後方へのスライド操作時に起立部１６ｃ（カラー部材１６）の後側内面の上端部分に当たって変形・復帰しながら当該上端部分を通過することにより、ロック解除用の後方スライド操作に対応したいわばクリック感を利用者へ与えるための一対の衝突変形片部，
をそれぞれ示している。
【００６３】
また、
１９はステムジョイント１５に載置されて、トリガレバー１７を、その凸状軸部１７ｂを中心とした図１の時計方向に回動付勢するためのバネ部材（弾性部材），
１９ａは左右一対でそれぞれ前後方向の前側開口，二層形状からなる略Ｕ字状の弾性作用部，
１９ｂは弾性作用部１９ａそれぞれの下側端部分同士を接続した形からなり、ステムジョイント１５の半円板状部１５ｅに載置される後側開口，水平形状のＣ字状基部，
１９ｃは弾性作用部１９ａそれぞれの上前端側部分の間に形成された連結軸状部（被ロック作用部），
１９ｄはＣ字状基部１９ｂの後端側から弾性作用部１９ａの下側端部にかけて内側へと張り出す態様で形成され、トリガレバー１７の引き操作にともないその直線状下端面１７ｆが当接する膨出部，
をそれぞれ示している。
【００６４】
ここで、ハウジング１３，ステム１４，ステムジョイント１５，カラー部材１６，トリガレバー１７およびスライダ１８などは、例えばポリプロピレン，ポリエチレン，ポリアセタール，ナイロン，ポリブチレンテレフタレートなどからなるプラスチック製のものである。
【００６５】
また、容器本体１１やマウンティングキャップ１２は金属製のものであり、ステムガスケット１４ｃはゴム製のものであり、コイルスプリング１４ｄやバネ部材１９はプラスチック製，金属製のものである。
【００６６】
図１０〜図１３のシャットオフトリガ機構の組立て手順は例えば次のようになる。
(111)ステムジョイント１５の横筒状部１５ｂにノズル１５ｈを取り付けて一体化し、
(112)次に、この一体化後のステムジョイント１５をカラー部材１６の上前端側開口部から下方に入れて、当該ステムジョイントの係合用垂下部１５ｍが内側に弾性変形しながら当該カラー部材の縦柱状部１６ｒの内面部分を通過した後に弾性復帰することにより、当該ステムジョイントの凸状上向き段部１５ｎと当接カラー部材の下向き段部１６ｔとの係合状態を設定し、
(113)次に、トリガレバー１７のΩ状部１７ｈにバネ部材１９の連結軸状部１９ｃを取り付けて一体化し、
(114)次に、上記(112)の手順で一体化したステムジョイント１５およびカラー部材１６の上後側開口部から、スライダ１８を、最大限後退させた状態（図１１参照）で下方にいれた後、前方に移動させて、当該スライダの円弧状段部１８ｍで当該ステムジョイントの大径筒状部１５ｃを保持し、
(115)次に、上記(113)の手順で一体化したトリガレバー１７およびバネ部材１９をカラー部材１６の前開口部から後方に入れて、当該トリガレバーの直線状下端面１７ｆがスライダ１８の下段部１８ｈで保持され、かつ、当該バネ部材の連結軸状部１９ｃが当該スライダの上段部１８ｇで保持されるように設定する。
【００６７】
上記(113)の手順でトリガレバー１７に一体化されたバネ部材１９は、その弾性作用部１９ａの上端面前部分が当該トリガレバーの天板状部１７ｃに当接している。そのためトリガレバー１７のΩ状部１７ｈに取り付けられたバネ部材１９が回動することはない。
【００６８】
上記(114)の手順の際には、スライダ１８の外向き凸状部１８ｓが、カラー部材１６の平側板状部分１６ｄに当接して内側に弾性変形しながら溝状部１６ｋに入り込む。また、スライダ１８の下凹状部１８ｋには、カラー部材１６の外向き下端凸状部１６ｐが当該下凹状部１８ｋの直下凸状部との間で相対的に弾性圧縮変形しながら入り込む。
【００６９】
上記(115)の手順の際には、トリガレバー１７の一対の凸状軸部１７ｂが、それぞれカラー部材１６の後方向斜面１６ｗに案内されながら外側に広げられて係合用の孔部１６ｅへと移動する。
【００７０】
トリガレバー１７が操作されていない静止モード（図１０，図１１参照）のとき、
(121)ステム１４は、コイルスプリング１４ｄの弾性力により上動してステムガスケット１４ｃが横孔部１４ａを閉じた周知の状態でハウジング１３に保持され、
(122)トリガレバー１７は、ステム１４と嵌合状態のステムジョイント１５の半円板状部１５ｅに載置されたバネ部材１９の弾性力（コイルスプリング１４ｄよりも弱い弾性力）により図示時計方向に回動して、当該トリガレバーの上端面部分がカラー部材１６の上端枠状部１６ｕに当接した状態で保持され、
(123)この当接保持状態におけるトリガレバー１７（板状垂下部１７ｅ）の直線状下端面１７ｆおよび曲線状角端面１７ｇは、バネ部材１９の膨出部１９ｄからその上方に十分離間している。
【００７１】
この直線状下端面１７ｆおよび曲線状角端面１７ｇと膨出部１９ｄとの離間分だけ、アンロックモード（図１１参照）におけるトリガレバー１７の引き操作開始から、ステムジョイント１５およびこれと一体のステム１４がコイルスプリング１４ｄの上方向への強い弾性力に抗しながら下方向へ駆動されて内容物放出状態に移行するまでに、いわば遅延が生じる。
【００７２】
この遅延の間、コイルスプリング１４ｄの強弾性力で上方向に付勢されたステムジョイント１５は下方へ移動することなしに、トリガレバー１７が、その凸状軸部１７ｂを中心としてバネ部材１９の弱弾性力に抗しながら図１０の反時計方向に回動する。
【００７３】
このトリガレバー１７の回動にともない、それまで当該トリガレバーでカバーされていたステムジョイント１５の放出口が外部空間域に露出する（図１２参照）。
【００７４】
なお、図１０は静止ロックモード（トリガレバー引き操作阻止）を示しており、このときのスライダ１８は、
(131)天板部１８ａが、カラー部材６（上端枠状部１６ｕ）の曲線状段部１６ｖに当接して、その前端部分１８ｃも上端枠状部１６ｕに当接した状態で保持され、
(132)上段部１８ｇが、トリガレバー１７のΩ状部１７ｈと一体化しているバネ部材１９の連結軸状部１９ｃの下端部分を当接保持し、
(133)下段部１８ｈが、トリガレバー１７の直線状下端面１７ｆを当接保持し、
(134)円弧状段部１８ｍが、ステムジョイント１５の大径筒状部１５ｃの下端面を当接保持している。
【００７５】
このように、スライダ１８を上端枠状部１６ｕの前方に移動させた静止ロックモードでは、バネ部材１９の連結軸状部１９ｃ，トリガレバー１７の直線状下端面１７ｆおよびステムジョイント１５の大径筒状部１５ｃの計三箇所の移動が阻止される。すなわち利用者はトリガレバー１７の引き操作をすることができない。
【００７６】
図１０のトリガレバー１７の回動阻止を解除して図１１の静止アンロックモード（トリガレバーの引き操作可）に移行するには、利用者がスライダ１８を後方に移動させればよい。
【００７７】
カラー部材１６の曲線状段部１６ｖに設定されているスライダ１８を後退操作することにより、上記(132)，(133)，(134)にかかる当該スライダと、バネ部材１９，トリガレバー１７およびステムジョイント１５のそれぞれとの間の当接保持状態がすべて解除される（図１１参照）。
【００７８】
すなわち、図１０の静止ロックモードのシャットオフトリガレバ機構はトリガレバー１７の内容物放出の引き操作が可能な図１１の静止アンロックモードへと移行する。
【００７９】
上述したようにトリガレバー１７を図１０〜図１３の時計方向に付勢するバネ部材１９の弾性力は、ステム１４を上方向に付勢するコイルスプリング１４ｄのそれよりも十分小さい。
【００８０】
この弾性力の違いにより、図１１の静止アンロックモードにおけるトリガレバー１７の後方（反時計方向）への引き操作の際には、
(141)先ず連結軸状部１９ｃを介してトリガレバーと一体のバネ部材１９がその弾性作用部１９ａそれぞれの上側部分を下方に移動させる態様で変位し（図１２参照）、
(142)この弾性作用部１９ａの変位終了後のトリガレバー引き操作にともない、コイルスプリング１４ｄがその弾性力に抗する形で下方向に変位する（図１３参照）。
【００８１】
すなわち、トリガレバー１７の引き操作にともない、
(151)先ず強弾性力のコイルスプリング１４ｄは変位せずに、弱弾性力のバネ部材１９のみが変位する初期段階のとき、ノズル１５ｈの放出口１５ｊが外部空間域に露出するものの当該放出口から内容物が噴射されることはなく、
(152)この内容物が噴射されない状態は、凸状軸部１７ｂを中心としたトリガレバー１７の反時計方向への回動により、その曲線状角端面１７ｇがバネ部材１９の膨出部１９ｄの上面部分に当接するまで続き（図１２参照）、
(153)この曲線状角端面１７ｇと膨出部１９ｄとの当接後は、バネ部材１９が載置されたステムジョイント１５およびこれと一体のステム１４がトリガレバー１７の曲線状角端面１７ｇからのいわば駆動力を受け、
(154)この駆動力を受けたステム１４は、コイルスプリング１４ｄの上方向への弾性力に抗しながら下方向へ移動し、
(155)シャットオフトリガ機構は、このステム１４の下方向への移動により周知の内容物放出状態の作動モードに移行する（図１３参照）。
【００８２】
静止モードと作動モードとの間でステムジョイント１５が上下方向に変位するとき、その前端部分に相当するノズル１５ｈの凸状上向き段部１５ｎはカラー部材１６の下向き段部１６ｔと係合したままであり、その縦筒状部１５ａおよび横筒状部１５ｂからなる可撓性Ｌ字状筒状部の自由中間部分が変形する。
【００８３】
図１３の作動モードでは、それまでステム１４の横孔部１４ａを閉じていたステムガスケット１４ｃのステム当接部分（内側部分）の変形により、当該横孔部がそれまでの閉状態から開状態へと変化している。
【００８４】
このとき容器本体１１の内容物は、噴射用ガスの作用により「ステム１４の横孔部１４ａ−ステム１４の中間通路域１４ｂ−ステムジョイント１５の縦筒状部１５ａ，横筒状部１５ｂ−ノズル１５ｈの放出口１５ｊ」を経て外部空間域に放出される。この噴射用ガスの作用に基づく内容物放出動作は周知である。
【００８５】
利用者がトリガレバー１７の後方への引き操作を解除すると、
(161)ステム１４およびこれと一体のステムジョイント１５，バネ部材１９などはコイルスプリング１４ｄの弾性力により上方向へ駆動されて、弁作用部（横孔部１４ａおよびステムガスケット１４ｃ）がそれまでの開状態から閉状態へと移行し、
(162)フリー状態となったトリガレバー１７は、バネ部材１９の弾性力により図示時計方向へ回動して、当該トリガレバーの上端面部分がカラー部材１６の上端枠状部１６ｕに当接した状態へと移行する。
【００８６】
すなわち、図１３の作動モードのシャットオフトリガ機構は図１１の静止アンロックモードへ遷移する。
【００８７】
この静止アンロックモードにおけるスライダ１８を前方に移動させることにより、シャットオフトリガ機構は図１０の初期状態に復帰する。
【００８８】
本発明が、図示の実施形態に限定されないことは勿論であって例えば、
(171)トリガレバー７，１７の操作対象部７ａ，１７ａに指の滑りとめの凹状部，凸状部を形成する、
(172)トリガレバー１７の作動モード設定操作の際に、その曲線状角端面１７ｇがステムジョイント１５の半円板状部１５ｅの上面に当接してこれを下方に直接駆動する、
(173)ロックモードにおけるスライダ１８のロック保持対象を、
・トリガレバー１７の直線状下端面１７ｆのみ
・バネ部材１９の連結軸状部１９ｃのみ
・直線状下端面１７ｆおよび連結軸状部１９ｃのみ
・ステムジョイント１５の大径筒状部１５ｃおよび直線状下端面１７ｆのみ
・ステムジョイント１５の大径筒状部１５ｃおよび連結軸状部１９ｃのみ
とする、
(174)トリガレバー１７の、直線状下端面１７ｆ以外の部分をロックモードにおけるスライダ１８のロック保持対象とする、
(175)図１，図２，図１０，図１１の静止モードにおける放出口５ｅ，１５ｊが露出しないカバー状態を、ステムジョイント５の天板部分とトリガレバー７との小離間状態、またカラー部材１６の上端枠状部１６ｕとのトリガレバー１７との小離間状態の形で設定する、
(176)図１〜図９のシャットオフトリガ機構をエアゾール式製品に用いる、
(177)図１０〜図１８のシャットオフトリガ機構をポンプ式製品に用いる、
ようにしてもよい。
【００８９】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００９０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００９１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００９２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００９３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００９４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００９５】
高分子化合物としては、メチルセルロース，ゼラチン，デンプン，カゼイン，ヒドロキシエチルセルロース，キサンタンガム，カルボキシビニルポリマーなどを用いる。
【００９６】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの殺虫剤・害虫忌避剤、酸化亜鉛などの制汗剤、ローズオイル、リナロールなどの香料、植物抽出物などの消臭剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００９７】
さらに、上記内容物以外の、懸濁剤，紫外線吸収剤，乳化剤，保湿剤，酸化防止剤、金属イオン封鎖剤なども用いることができる。
【００９８】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００９９】
（図１〜図９のシャットオフトリガ機構）
１：ネジキャップ
１ａ：上側開口部
２：ハウジング
２ａ：上端側筒状部
３：環状ブッシュ部材
３ａ：内側上端段部
４：ステム
４ａ：中間通路域
５：ステムジョイント
５ａ：縦筒状部
５ｂ：横筒状部
５ｃ：出力側通路域
５ｄ：ノズル
５ｅ：放出口
５ｆ：低円柱状部
５ｇ：長方形凸状部
５ｈ：外側下端段部
５ｊ：天板部分
６：カラー部材
６ａ：環状天面
６ｂ：上筒状部
６ｃ：下外側筒状部
６ｄ：下内側筒状部
６ｅ：周方向上段部
６ｆ：縦柱状部
６ｇ：環凸状部
６ｈ：斜め起立部
６ｊ：側板
６ｋ：凸状軸部
６ｍ：直起立部
６ｎ：側板段部
７：トリガレバー
７ａ：操作対象部
７ｂ：孔部
７ｃ：天井面
７ｄ：垂下部
７ｅ：被ロック作用部
７ｆ：方形切欠状部
７ｇ：Ｃ字状曲面部
７ｈ：側板状片部
８：ストッパー
８ａ：中央筒状部
８ｂ：凸状段部
８ｃ：周方向垂下部
８ｄ：環状段部（天井部）
８ｅ：下端側段部
８ｆ：ロック操作部
８ｇ：ロック設定部
８ｈ：ロック係止用上端面
８ｊ：後側底面部
９：板バネ
９ａ：上端部
９ｂ：湾曲中間部分
９ｃ：下端部
【０１００】
（図１０〜図１８のシャットオフトリガ機構）
１１：容器本体
１２：マウンティングキャップ
１２ａ：環凹状部
１３：ハウジング
１４：ステム
１４ａ：横孔部
１４ｂ：中間通路域
１４ｃ：ステムガスケット
１４ｄ：コイルスプリング
１５：ステムジョイント
１５ａ：縦筒状部
１５ｂ：横筒状部
１５ｃ：大径筒状部
１５ｄ：天井段部
１５ｅ：半円板状部
１５ｆ：凸状部
１５ｇ：環鍔状部
１５ｈ：ノズル
１５ｊ：放出口
１５ｋ：平天板部
１５ｍ：係合用垂下部
１５ｎ：凸状上向き段部
１６：カラー部材
１６ａ：筒状基部
１６ｂ：天面
１６ｃ：起立部
１６ｄ：平側板状部分
１６ｅ：孔部
１６ｆ：上段部
１６ｇ：下段部
１６ｈ：縦段部
１６ｊ：起立ガイド面
１６ｋ：溝状部
１６ｍ：縦四角柱部
１６ｎ：レール状上端面
１６ｐ：レール状の外向き下端凸状部
１６ｑ：天板部
１６ｒ：縦柱状部
１６ｓ：三角状上段部
１６ｔ：下向き段部
１６ｕ：上端枠状部
１６ｖ：曲線状段部
１６ｗ：後方向斜面
１７：トリガレバー
１７ａ：操作対象部
１７ｂ：凸状軸部
１７ｃ：天板状部
１７ｄ：切欠状部
１７ｅ：板状垂下部
１７ｆ：直線状下端面
１７ｇ：曲線状角端面
１７ｈ：Ω状部（凹状部）
１８：操作ロック用のスライダ
１８ａ：天板部
１８ｂ：窪み状部
１８ｃ：前端部分
１８ｄ：ロック作動用の柱状垂下部
１８ｅ：補強リブ
１８ｆ：ロック作動用の縦方向片部
１８ｇ：上段部
１８ｈ：下段部
１８ｊ：上凸状部
１８ｋ：下凹状部
１８ｍ：円弧状段部
１８ｎ：下向き凸状部
１８ｐ：板状垂下部
１８ｑ：前側下端面
１８ｒ：後側下端面
１８ｓ：外向き凸状部
１８ｔ：衝突変形片部
１９：バネ部材
１９ａ：弾性作用部
１９ｂ：Ｃ字状基部
１９ｃ：連結軸状部
１９ｄ：膨出部
【図１】
2014121668.tif 000003
【図２】
2014121668.tif 000004
【図３】
2014121668.tif 000005
【図４】
2014121668.tif 000006
【図５】
2014121668.tif 000007
【図６】
2014121668.tif 000008
【図７】
2014121668.tif 000009
【図８】
2014121668.tif 000010
【図９】
2014121668.tif 000011
【図１０】
2014121668.tif 000012
【図１１】
2014121668.tif 000013
【図１２】
2014121668.tif 000014
【図１３】
2014121668.tif 000015
【図１４】
2014121668.tif 000016
【図１５】
2014121668.tif 000017
【図１６】
2014121668.tif 000018
【図１７】
2014121668.tif 000019
【図１８】
2014121668.tif 000020